(57)【要約】【課題】  本体部に対してパネル部を開閉操作した際のハーネスの引っ掛かりによる異音や切断等の発生を防ぐ。【解決手段】  被写体の像を撮像する撮像ユニットが設けられた本体部２と、撮像ユニットにより撮像された画像を表示する表示ユニットが設けられ、本体部２にヒンジ機構１２を介して開閉可能に取り付けられたパネル部３と、ヒンジ機構３に設けられた貫通孔１５ａを通して本体側筐体２ａの内部とパネル側筐体３ａの内部との間で引き回されたハーネス１４とを備え、ハーネス１４の余長部分１４ａがパネル側筐体３ａの内部に収納されている。【選択図】  図４
2005079726.tif 000002
【特許請求の範囲】
【請求項１】
被写体の像を撮像する撮像ユニットが設けられた本体部と、
上記撮像ユニットにより撮像された画像を表示する表示ユニットが設けられ、上記本体部にヒンジ機構を介して開閉可能に取り付けられたパネル部と、
上記ヒンジ機構に設けられた貫通孔を通して、上記本体部の筐体内部と上記パネル部の筐体内部との間で引き回されたハーネスとを備え、
上記ハーネスの余長部分が上記パネル部の筐体内部に収納されていることを特徴とする撮像装置。
【請求項２】
上記パネル部の筐体内部には、上記表示ユニットの背面側との間で上記ハーネスの余長部分を収納する収納空間が形成されていることを特徴する請求項１記載の撮像装置。
【請求項３】
上記表示ユニットの背面側に設けられた回路基板と、上記ハーネスの余長部分との接触を防ぐ保護材が設けられていることを特徴する請求項２記載の撮像装置。
【請求項４】
上記パネル部の筐体内部には、上記ハーネスの余長部分を固定する固定手段が設けられていることを特徴とする請求項１記載の撮像装置。
【請求項５】
上記ハーネスとして、ハロゲンフリーのものを用いることを特徴とする請求項１記載の撮像装置。
【発明の詳細な説明】
【技術分野】
【０００１】
本発明は、本体部にパネル部が開閉可能に取り付けられた撮像装置に関する。
【背景技術】
【０００２】
デジタルビデオカメラやデジタルスチルカメラ等の撮像装置の中には、被写体の像を撮像する撮像ユニットが設けられた本体部に対して、撮像ユニットにより撮像された画像を表示する表示ユニットが設けられたパネル部が開閉可能に取り付けられたものがある（例えば、特許文献１を参照）。
【０００３】
例えば図６に示すデジタルビデオカメラ１００は、本体部１０１の一側面にヒンジ機構１０２を介してパネル部１０３が開閉可能に取り付けられている。本体部１０１は、正面側の上部に撮像レンズ１０４と、この撮像レンズ１０４と対向する背面側の上部に電子ビューファインダ(ＥＶＦ:Electronic View Finder)１０５とを有している。
【０００４】
一方、パネル部１０３は、一主面側に液晶表示パネル(ＬＣＤ：LiquidCrystal Display)１０６を有しており、この液晶表示パネル１０６によって、本体部１０１側のビューファインダ１０５以外にも、撮像レンズ１０４を通して撮影された画像を表示することが可能となっている。
【０００５】
また、ヒンジ機構１０２は、本体部１０１に対してパネル部１０３を図６中矢印Ｘに示す開閉方向に回動可能に支持すると共に、図６中矢印Ｙに示す開閉方向と直交する軸回りに回動可能に支持している。したがって、このデジタルビデオカメラ１００では、パネル部１０３の向き切り替えることによって、例えば液晶表示パネル１０６を見ながら撮影者自身を撮影するといったことが可能となっている。
【０００６】
ところで、本体部１０１の筐体内部とパネル部１０３の筐体内部との間には、ヒンジ機構１０２に設けられた貫通孔を通して、本体部１０１側とパネル部１０３側とを電気的に接続するためのハーネス（配線）が引き回されている。
【０００７】
しかしながら、従来のデジタルビデオカメラ１では、パネル部１０３を開閉したり、パネル部１０３の向きを切り替えたりした際に、ハーネスが筐体内部の部品に引っ掛かり、パチパチといった異音を発生させることがある。このような異音は、本体部１０１側に設けられた音声収録ユニットによって録音されてしまうこともある。また、パネル部１０３を開閉操作した際に、ハーネスが引っ掛かると、ハーネスを切断させてしまう原因にもなる。
【０００８】
【特許文献１】特開２００１−５３９８７号公報
【発明の開示】
【発明が解決しようとする課題】
【０００９】
そこで、本発明は、このような従来の事情に鑑みて提案されたものであり、本体部に対してパネル部を開閉操作した際のハーネスの引っ掛かりによる異音や切断等の発生を防止した撮像装置を提供することを目的とする。
【課題を解決するための手段】
【００１０】
この目的を達成するために、本発明に係る撮像装置は、被写体の像を撮像する撮像ユニットが設けられた本体部と、撮像ユニットにより撮像された画像を表示する表示ユニットが設けられ、本体部にヒンジ機構を介して開閉可能に取り付けられたパネル部と、ヒンジ機構に設けられた貫通孔を通して本体部の筐体内部とパネル部の筐体内部との間で引き回されたハーネスとを備え、ハーネスの余長部分がパネル部の筐体内部に収納されていることを特徴としている。
【発明の効果】
【００１１】
以上のように、本発明に係る撮像装置では、ヒンジ機構の貫通孔を通して本体部の筐体内部とパネル部の筐体内部との間で引き回されたハーネスの余長部分をパネル部の筐体内部に収納することによって、本体部に対してパネル部を開閉操作した際のハーネスの引っ掛かりによる異音や切断等の発生を防ぐことが可能である。
【００１２】
特に、環境負荷物質の低減のため、ハロゲンフリー化されたハーネスを使用する場合には、ハーネスが従来よりも硬めとなるため、非常に効果的である。
【発明を実施するための最良の形態】
【００１３】
以下、本発明を適用した撮像装置について、図面を参照しながら詳細に説明する。
【００１４】
本発明を適用した撮像装置は、例えば図１，図２及び図３に示すカメラ一体型デジタルビデオテープレコーダ（以下、デジタルビデオカメラという。）１である。このデジタルビデオカメラ１は、全体略直方体状の本体部２と、この本体部２の一側面に開閉可能に取り付けられた略矩形平板状のパネル部３とを備えている。
【００１５】
本体部２は、被写体を撮影するための撮像ユニットを有しており、この本体部２の前面には、撮像レンズ４ａを外部に臨ませるレンズ部４が設けられている。また、本体部２の上面部には、夜間等にストロボを発光させるフラッシュ発光部５がポップアップ可能に設けられている。また、本体部２の上面部には、音声を収録するための音声収録ユニットとして、マイクロフォン等のステレオマイク６が設けられている。
【００１６】
なお、本体部２の筐体２ａの内部には、撮像レンズ４ａを含む光学系が内蔵されたレンズ鏡筒や、このレンズ鏡筒で結像された被写体の像を撮像するＣＣＤ(Charge Coupled Device)等が設けられており、撮像ユニットは、撮像レンズ４ａを通して取り込まれた画像をＣＣＤにより電気信号に変換し、映像データとして後述する記録再生ユニットや表示ユニット等に出力する。
【００１７】
本体部２の背面側には、撮像ユニットにより撮像された画像を表示する本体側の表示ユニットとして、アイカップ７ａから内部の液晶表示素子（ＬＣＤ）に表示された画像を覗き見る電子ビューファインダ（ＥＶＦ）７が、本体部２の筐体２ａに対して引き出し可能に設けられている。
【００１８】
本体部２のパネル部３が設けられた一側面とは反対側の他側面には、この本体部２の筐体２ａを構成する蓋体８が開閉可能に取り付けられており、その内側には、テープカセットを装着するためのカセット装着部が設けられている。また、本体部２の他側面には、この本体部２を把持するためのグリップベルト９が取り付けられている。
【００１９】
なお、本体部２の筐体２ａの内部には、上述した撮像ユニット及び音声収録ユニットからの映像信号及び音声信号等を記録・再生するための記録再生ユニットとして、上述したテープカセット装着部に装着されたテープカセットの磁気テープに対して、信号の記録・再生を行う回転ヘッド装置や、複数のガイドローラにより引き回された磁気テープをピンチローラとキャップスタンとで挟み込みながら、この磁気テープを一定の速度で走行させるテープ走行機構等が設けられている。
【００２０】
本体部２の一側面には、パネル部３の下方に位置して、このデジタルビデオカメラ１の電源となるバッテリパック１０が着脱可能に取り付けられている。また、本体部２の各所には、各種操作を行うための操作ボタンやスイッチ等が設けられている。
【００２１】
パネル部３は、撮像ユニットにより撮像された画像を表示するパネル側の表示ユニットとして、筐体３ａの一主面側に液晶表示パネル（ＬＣＤ）１１を有しており、この液晶表示パネル１１によって、本体部２側のビューファインダ７以外にも、撮像レンズ４ａを通して撮影された画像を表示することが可能となっている。すなわち、このデジタルビデオカメラ１では、本体部２を片手で把持した状態で、背面側のビューファインダ７を覗きながら、或いは、パネル部３の液晶表示パネル１１を見ながら、撮影を行うことが可能となっている。
【００２２】
また、パネル部３は、本体部２にヒンジ機構１２を介して回動可能に支持されており、このヒンジ機構１２は、パネル部３を本体部２に対して、図３中矢印Ａに示す開閉方向に回動可能に支持すると共に、図３中矢印Ｂに示す開閉方向と直交する軸回りに回動可能に支持している。これにより、パネル部３は、本体部２に対して開閉したり、開いた状態において、液晶表示パネル１１の向きを切り替えることが可能となっている。
【００２３】
したがって、このデジタルビデオカメラ１では、パネル部３の角度を切り替えることによって、例えば液晶表示パネルを見ながら撮影者自身を撮影するといったことが可能である。また、パネル部３は、閉じた状態において、本体部２の一側面を切り欠くように形成されたパネル収納部１３に収納することが可能となっている。
【００２４】
ところで、このデジタルビデオカメラ１では、図４に示すように、本体部２側とパネル部３側とを電気的に接続するためのハーネス（配線）１４が、ヒンジ機構１２の回動軸１５に設けられた貫通孔１５ａを通して、本体側筐体２ａの内部とパネル側筐体３ａの内部との間で引き回されている。
【００２５】
ハーネス１４は、複数束ねられた状態で引き回されており、パネル部３の回動の動きに追従できるように、また、本体側筐体２ａとパネル側筐体３ａとの間の引き回しを容易とするため、引き回しに最低限必要な長さよりも充分な長さの余長部分１４ａを有している。
【００２６】
また、このハーネス１４には、環境負荷物質の低減のため、ハロゲンフリー化されたもの、例えば電線ワイヤーがポリアミド樹脂等からなる被覆材（絶縁体）で被覆されたものを使用している。なお、ハロゲンフリーのハーネス１４には、絶縁体にハロゲン系物質だけでなく、リン系物質、鉛系物質、アンチモン等を用いず、環境への負荷を低減したものがある。
【００２７】
この場合、従来のようなワイヤーハーネスの被覆材に塩化ビニル樹脂等の環境負荷物質を用いたものに比べて、ハーネス自体が硬めとなるため、このような柔軟性に欠けたハーネス１４の余長部分１４ａを本体側筐体２ａのレンズ部４とヒンジ機構１２との間の狭い内部空間に収納すると、パネル部３の開閉操作の際に、上述したパチパチといった異音が発生してしまう。また、この異音がステレオマイク６によって録音されてしまうといった問題が発生してしまう。
【００２８】
そこで、このデジタルビデオカメラ１では、図４及び図５に示すように、パネル側筐体３ａの内部にハーネス１４の余長部分１４ａを収納している。具体的に、パネル側筐体３ａは、上述した液晶表示パネル１１を収納する収納ケース１６と、この収納ケース１６を覆うカバーケース１７とから構成されている。収納ケース１６の底面部には、液晶表示パネル１１をパネル部３の一主面側から外部に臨ませる矩形状の窓部１６ａが形成されている。また、液晶表示パネル１１の背面側には、照明光を発光させるバックライト１８と、これら液晶表示パネル１１及びバックライト１８を駆動制御するための駆動回路等が構成されたプリント回路基板１９とが配置されている。このプリント回路基板１９上には、ＩＣチップ等の電子部品２０や、フレキシブル配線基板（ケーブル）２１と電気的に接続されるコネクタ２２等が配置されている。ハーネス１４は、このプリント回路基板１９上に配置されたコネクタ２３と電気的に接続されている。
【００２９】
また、このプリント回路基板１９には、ハーネス１４との接触の危険性がある電子部品２０やコネクタ２２等を保護する保護シート２４が、これら電子部品２０やコネクタ２２を覆うかたちで貼り付けられている。これにより、ハーネス１４が電子部品２０やコネクタ２２に引っ掛かるのを防止することが可能である。
【００３０】
また、このプリント回路基板１９には、ハーネス１４の余長部分１４ａを固定する固定手段として、このハーネス１４の余長部分１４ａを所定の位置に引っ掛けて固定するフック部２５が設けられている。これにより、パネル部３の開閉又は回動動作に応じたハーネス１４の余長部分１４ａの動きを規制することが可能である。なお、このハーネス１４の余長部分１４ａの動きを規制するため、テープ等の固定手段よってハーネス１４の余長部分１４ａをプリント回路基板２１等に貼り付けて固定してもよい。
【００３１】
そして、このパネル側筐体３ａの内部には、液晶表示パネル１１の背面側のプリント回路基板１９とカバーケース１７との間で、ハーネス１４の余長部分１４ａを収納するための収納空間２６が形成されている。
【００３２】
以上のように、このデジタルビデオカメラ１では、ヒンジ機構１２の貫通孔１５ａを通して本体側筐体２ａの内部とパネル側筐体３ａの内部との間で引き回されたハーネス１４の余長部分１４ａをパネル側筐体３ａの内部に設けられた収納空間２６に収納することによって、本体部２に対してパネル部３を開閉又は回動操作した際に、ハーネス１４の引っ掛かりによってパチパチといった異音の発生や、ハーネス１４の引っ掛かりによる切断等の発生を防ぐことが可能である。
【００３３】
特に、上述した環境負荷物質の低減のため、ハロゲンフリー化されたハーネス１４を使用した場合には、ハーネスが従来よりも硬めとなるため、非常に効果的である。
【産業上の利用可能性】
【００３４】
なお、本発明は、上述したデジタルビデオカメラ１に限定されるものではなく、デジタルビデオカメラやデジタルスチルカメラ等の撮像装置の他にも、本体部に対してパネル部が開閉可能に取り付けられた電子機器に対して広く適用可能である。
【図面の簡単な説明】
【００３５】
【図１】本発明を適用したデジタルビデオカメラを前面側から見た斜視図である。
【図２】上記デジタルビデオカメラを背面側から見た斜視図である。
【図３】上記デジタルビデオカメラの本体部に対してパネル部の向きを切り替えた状態を示す斜視図である。
【図４】上記デジタルビデオカメラのパネル部の内部構成を示す側面図である。
【図５】上記デジタルビデオカメラのパネル部の内部構成を示す断面図である。
【図６】本体部に対してパネル部が開閉可能とされた撮像装置の一例を示す斜視図である。
【符号の説明】
【００３６】
１  デジタルビデオカメラ、２  本体部、２ａ  本体側筐体、３  パネル部、３ａ  パネル側筐体、４  レンズ部、４ａ  撮像レンズ、５  フラッシュ発光部、６  ステレオマイク、７  電子ビューファインダ、８  蓋体、９  グリップベルト、１０  バッテリパック、１１  液晶表示パネル、１２  ヒンジ機構、１３  パネル収納部、１４  ハーネス、１５ａ  貫通孔、１８  バックライト、１９  プリント回路基板、２４  保護シート、２５  フック部、２６  収納空間
【図１】
2005079726.tif 000003
【図２】
2005079726.tif 000004
【図３】
2005079726.tif 000005
【図４】
2005079726.tif 000006
【図５】
2005079726.tif 000007
【図６】
2005079726.tif 000008